(57)【要約】【課題】  画像に合わせた読取モードを表面と裏面とに個別に設定して、画像を読み取ることができる画像読取装置を提供する。【解決手段】  原稿の表面、裏面のそれぞれに対して個別に読取モードを設定する読取モード設定手段と、この読取モード設定手段によって設定された読取モードに応じて、原稿の表面、裏面の画像のそれぞれを読取走査して画像処理を行う画像処理手段を備えている。【選択図】図１
2005295359.tif 000002
【特許請求の範囲】
【請求項１】
同一の原稿の表面、裏面のそれぞれを、第１、第２の走査手段によって読取走査する画像読取装置において、
原稿の表面、裏面のそれぞれに対して個別に読取モードを設定する読取モード設定手段と、この読取モード設定手段によって設定された読取モードに応じて、原稿の表面、裏面の画像のそれぞれを読取走査して画像処理を行う画像処理手段とを備えている画像読取装置。
【請求項２】
請求項１において、
上記画像処理手段は、原稿の表面、裏面のそれぞれに対して設定された上記読取モードの読取走査速度が互いに異なるときには、読取走査速度がより速い読取モードの読取走査速度を遅くして、読取走査速度がより遅い読取モードに合わせ、表面の画像と裏面の画像のそれぞれを読取走査する構成とされる画像読取装置。
【請求項３】
請求項１、２のいずれかにおいて、更に原稿を搬送する搬送手段を備え、
上記第１、第２の走査手段のそれぞれは、この搬送手段の原稿搬送路の２カ所に配置されている画像読取装置。
【請求項４】
請求項１−３のいずれかにおいて、
第１、第２の走査手段のそれぞれは原稿を読み取るイメージセンサで構成されており、そのイメージセンサは互いに異なる種類とされている画像読取装置。
【発明の詳細な説明】
【技術分野】
【０００１】
本発明は、原稿の表面、裏面とを平行して読み取り可能な画像読取装置に関するものである。
【背景技術】
【０００２】
以下の特許文献には、１枚の原稿の表面と裏面とを同時に読み取る画像読取装置が提案されている。この画像読取装置は、１枚の原稿を操作してその両面を読み取るときに、表面の画像データの符号化に要する時間と、裏面の画像データの符号化に要する時間とが異なる場合には、原稿の走査を符号化に時間がかかる方に合わせて行うものである。
【特許文献１】特開平９−２０５５２４号
【発明の開示】
【発明が解決しようとする課題】
【０００３】
しかしながら近年では、高速に符号化を行うハードウェアが開発され、廉価に市販されるようになってきていることから、１枚の原稿の両面を異なる読取モードで読み取ることができる装置が要望されている。異なる読取モードで読み取るとは、１枚の原稿において、その表面が写真、裏面が文字、あるいは両面とも文字であるが、裏面の文字が非常に細かいといった場合に、それら画像に合わせた読取モードを表面と裏面とに設定して、画像を読み取ることをいう。
本発明は、そのように画像に合わせた読取モードを表面と裏面とに個別に設定して、画像を読み取ることができる画像読取装置を提供することを課題としている。
【課題を解決するための手段】
【０００４】
上記課題を解決するために、本発明の請求項１では、同一の原稿の表面、裏面のそれぞれを、第１、第２の走査手段によって読取走査する画像読取装置において、原稿の表面、裏面のそれぞれに対して個別に読取モードを設定する読取モード設定手段と、この読取モード設定手段によって設定された読取モードに応じて、原稿の表面、裏面の画像のそれぞれを読取走査して画像処理を行う画像処理手段とを備えている画像読取装置を提案している。
請求項２では、上記画像処理手段は、原稿の表面、裏面のそれぞれに対して設定された上記読取モードの読取走査速度が互いに異なるときには、読取走査速度がより速い読取モードの読取走査速度を遅くして、読取走査速度がより遅い読取モードに合わせ、表面の画像と裏面の画像のそれぞれを読取走査する構成とされる画像読取装置を提案している。従って、原稿の表面にファインモードの読取モードを設定し、裏面には高解像度のスーパーファインモードの読取モードを設定しているときには、表面側よりも裏面側の読取走査速度が遅いので、裏面側の読取走査速度に合わせられる。
請求項３では、更に原稿を搬送する搬送手段を備え、上記第１、第２の走査手段のそれぞれは、この搬送手段の原稿搬送路の２カ所に配置されている画像読取装置を提案している。
請求項４では、第１、第２の走査手段のそれぞれは原稿を読み取るイメージセンサで構成されており、そのイメージセンサは互いに異なる種類とされている画像読取装置を提案している。
【発明の効果】
【０００５】
請求項１−４によれば、原稿の表面、裏面のそれぞれに対して個別に読取モードを設定できるので、表面と裏面とで画像の種類が異なる、すなわち、一方は写真画像、他方は文字画像といった場合にも、それら画像に適した読取を実行できる。
請求項２−３では特に、原稿の表面、裏面のそれぞれに対して設定された上記読取モードの読取走査速度が互いに異なるときには、読取走査速度がより速い読取モードの読取走査速度を遅くして、読取走査速度がより遅い読取モードに合わせ、この搬送手段の原稿搬送路の２カ所に配置された走査手段で原稿を読み取るので、機構と制御とを簡略化できる。
請求項４では特に、第１、第２の走査手段で、互いに異なる種類のイメージセンサを用いるので、第１のイメージセンサには大きくても安価、第２のイメージセンサには高価だが小さいものを組合せ、装置、特に自動原稿送り機構をコンパクトなものにするとともに、コストの上昇を抑えることができる。
【発明を実施するための最良の形態】
【０００６】
本発明は原稿の表面と裏面とを読み取る原稿読取装置に広く適用することができるものであるが、ファクシミリ装置、スキャナ装置、コピー機能を複合させた、いわゆる複合機を実施例として以下に詳細に説明する。
【実施例１】
【０００７】
図１は、本発明の画像読取装置の１実施例である複合機Ｍの基本構成を説明するブロック図である。
この複合機Ｍは、ＭＰＵ等で構成され、ソフトウェア処理によって複合機Ｍの各部を制御する制御部１１と、そのソフトウェアを構成する各プログラムを格納しているプログラムメモリ１２と、各種のデータを格納しているデータメモリ１３と、液晶パネル等で構成され、ユーザの操作や装置の状態に応じて情報を表示する表示部１４と、ユーザが操作を行うための操作部１５と、原稿表面の画像を読み取るための第１のスキャナ部１６Ａと、原稿裏面の画像を読み取るための第２のスキャナ部１６Ｂと、第１のスキャナ部１６Ａないし第２のスキャナ部１６Ｂが読み取った画像データを蓄積するための画像メモリ１７と、画像メモリ１７に蓄積された画像データを用紙に印字出力するプリンタ部１８と、画像データを変調し電話回線に送出すると共に、電話回線から受信した信号を復調するモデム１９と電話回線との接続を制御する網制御回路２０（ＮＣＵ：Ｎｅｔｗｏｒｋ
Ｃｏｎｔｒｏｌ Ｕｎｉｔ） とを備えている。
【０００８】
本発明の画像読取装置では、原稿の表面、裏面のそれぞれを、第１、第２の走査手段によって、原稿の表面、裏面のそれぞれに対して個別に設定された読取モードに応じて、読取走査して画像処理を行う点を特徴としており、このために、複合機Ｍは、その第１、第２の走査手段として、上記第１のスキャナ部１６Ａと第２のスキャナ部１６Ｂとを備えており、操作部１５には、スキャナ部１６Ａ、第２のスキャナ部１６Ｂのそれぞれに対して、個別に読取モードを設定するための読取モード設定手段として、第１の読取モード設定キー（Ａ）１５１と第２の読取モード設定キー（Ｂ）１５２とを備えている。
【０００９】
すなわち、第１の読取モード設定キー（Ａ）１５１は複数の設定キーで構成されており、ユーザはそれらを操作して、第１のスキャナ部１６Ａに対して、文字だけの原稿に適した白黒モードまたは写真等の原稿に適した中間調モードを設定したり、濃度を設定したりできる。第２の読取モード設定キー（Ｂ）１５２も同様であって、第１のスキャナ部１６Ｂに対して、読取モードを設定できる。また、いずれの読取モード設定キーについても、ファクシミリ通信のための読取の場合には、解像度に関する読取モードの設定、すなわち、スタンダード、ファインモード、スーパーファインモードというような読取モードの設定も可能である。
【００１０】
スキャナ部１６Ａは、読取画像を処理する読取画像処理回路１６０Ａと、搬送手段１６９とを備えており、スキャナ部１６Ｂは、読取画像を処理する読取画像処理回路１６０Ｂを備えている。この読取画像処理回路１６０Ａと読取画像処理回路１６０Ｂとは、原稿の表面、裏面の画像のそれぞれを読取走査して画像処理を行う画像処理手段として機能する。
【００１１】
図２は、読取画像処理回路１６０Ａの基本構成を説明するより詳細なブロックであり、そこでは、走査手段を構成する電荷結合素子（ＣＣＤ：Ｃｈａｒｇｅ
Ｃｏｕｐｌｅｄ Ｄｅｖｉｃｅ）素子１６１Ａによって読み取られた原稿の画像の濃淡を示すアナログ信号が、アナログ／デジタル（Ａ／Ｄ）変換器１６２Ａによってデジタル信号に変換され、画像補整回路１６３Ａに入力されている。画像補正回路１６３Ａでは、γ補正を始め、図示していないがシェーディング補正や、エッジ強調等の処理が行われる。この画像補正回路１６３Ａの出力は、上記白黒モードに対応し、画像補正回路１６３Ａの出力に、閾値レジスタ１６８Ａに格納されている閾値を適用して、画像信号を白、黒の２値データとする。濃淡処理回路１６５Ａは、上記中間調モードに対応して、画像補正回路１６３Ａから出力される信号に、ディザ法や誤差拡散法を適用して２値化データを出力する。また、コンパレータ１６４Ａ及び濃淡処理回路１６５Ａの出力のいずれかを選択するセレクタ１６６Ａが備えられている。
【００１２】
画像補整回路１６３Ａでは、前述のようにγ補正を行っており、この補正の特性を規定するγ補正テーブル１６７Ａは、制御部１１によって書き換え可能になっている。同様に、コンパレータ１６４Ａの白、黒を区分するレベルを規定する閾値レジスタ１６８Ａも、制御部１１によって書き換え可能になっている。これらの値は、第１の読取モード設定キー（Ａ）１５１を通じての読取モードの設定に対応して書き換えられる。
読取画像処理回路１６０Ｂは、走査手段を構成するのが密着型イメージセンサ（ＣＩＳ：Ｃｏｎｔａｃｔ  Ｉｍａｇｅ  Ｓｅｎｓｏｒ）であるのを除けば、読取画像処理回路１６０Ａと同様に構成されている。そして、γ補正テーブルや白、黒を区分するレベルを規定する閾値が、第２の読取モード設定キー（Ｂ）１５２の操作を通じての読取モードの設定に応じて書き換えられる。
【００１３】
また、スキャナ部１６Ａの搬送手段１６９は、スキャナ部１６Ａが原稿表面の画像を読み取る場合にも、スキャナ部１６Ｂが原稿裏面の画像を読み取る場合にも共用して使われる搬送手段である。図３に示すように、その原稿搬送路Ｔの下側には、ＣＣＤ素子１６１Ａによる読取光学系が配置される。この読取光学系は、光源ランプ（例えば冷陰極管）１７１、集光板１７２、反射鏡１７３及びレンズ１７４で構成され、原稿表面（図３では原稿の下面となる）の画像をＣＣＤ素子１６１Ａの受光部に結像させる。一方、搬送路Ｔの上側には、ＣＩＳ１６１Ｂが配置される。ＣＩＳ１６１Ｂは、図示しないが、そのケーシング内に、原稿照明用のＬＥＤ、ロッドレンズアイ、ホトセンサアイを内蔵したものである。
【００１４】
図３は、搬送手段１６９の基本構成の概念を示す構造図であり、搬送手段１６９は矢印で示す原稿搬送路Ｔに沿ってローラＲ１〜Ｒ５や図示しないベルトが配置され、制御部１１で回転を制御されるステッピングモータ等で駆動されて原稿を搬送するようになっている。そして、原稿搬送路Ｔの途中には、ＣＣＤ素子１６１Ａと、ＣＩＳ１６１Ｂとが配置され、原稿の表面と裏面とを並行に読み取る構成である。
【００１５】
ここで、上記のように構成された複合機Ｍの読取処理の制御をフローチャートに従って詳細に説明する。
図４は、複合機Ｍの基本的な読取処理における制御を説明するフローチャートである。制御部１１は、ユーザが操作部１５の第１の読取モード設定キー（Ａ）１５１と第２の読取モード設定キー（Ｂ）１５２とで、原稿表面と裏面とに対して個別に読取モードを設定し、スタートキー（図示しない）を操作して、読取開始を指示するのを待って待機している（ステップ２０１−２０２）。そして、スタートキーの操作を受け付けると、第１のスキャナ部１６Ａのγ補正テーブル１６７Ａや閾値レジスタ１６８Ａに読取モードに応じた値を設定し、セレクタ１６６Ａの選択を行う。第２のスキャナ部１６Ｂについても同様である（ステップ２０３−２０４）。ついで、搬送手段１６９を駆動するステッピングモータ（図示しない）の回転速度を設定して、原稿の表面、裏面のそれぞれに対して設定された読取モードの読取走査速度が互いに異なるときには、読取走査速度がより速い読取モードの読取走査速度を遅くして、読取走査速度がより遅い読取モードに合わせる（ステップ２０５）。このような読取走査速度の違いは、原稿の表面と裏面の一方にファインモードを設定し、他方にはスーパーファインモードを設定している場合などに生じることがある。そして読取処理の動作を開始すれば、原稿表面の画像を１ライン読み取ると（ステップ２０６−２０７）、次に原稿裏面の画像を１ライン読み取る（ステップ２０８−２０９）という処理を読取終了まで繰り返し実行する（ステップ２１０）。
【００１６】
ここで、原稿の表面、裏面のそれぞれに対して設定された読取モードの読取走査速度が互いに異なるときには、読取走査速度がより速い読取モードの読取走査速度を遅くする点は、本発明の特徴の１つとなっている。
【００１７】
なお、上記の複合機Ｍでは、スキャナ部１６Ａ、スキャナ部１６Ｂのイメージセンサには、ＣＣＤ素子、ＣＩＳが用いられているが、これらを同じ種類のイメージセンサとすることもできる。
【図面の簡単な説明】
【００１８】
【図１】本発明の画像読取装置の１実施例である複合機Ｍの基本構成を説明するブロック図である。
【図２】読取画像処理回路の基本構成を説明するブロック図である。
【図３】搬送手段の基本構成の概念を示す構造図である。
【図４】読取処理における制御を説明するフローチャートである。
【符号の説明】
【００１９】
１５              操作部
１５１、１５２    モード設定キー（読取モード設定手段）
１６Ａ、Ｂ        スキャナ部（画像処理手段）
１６０Ａ、Ｂ      読取画像処理回路
１６９            搬送手段
１６１Ａ          ＣＣＤ素子（走査手段）
１６１Ｂ          ＣＩＳ（操作手段）
【図１】
2005295359.tif 000003
【図２】
2005295359.tif 000004
【図３】
2005295359.tif 000005
【図４】
2005295359.tif 000006